(57)【要約】【課題】複数の色で照明して高級感、高品質感の演出効果を高めることを安価に達成可能なメータ装置を提供すること。【解決手段】文字板メータ部３１の表示部３１ａ，３１ｂならびにその外周を囲むリング部材４０の内周壁４１を照明する発光ダイオード１２ａを備えたメータ装置であって、リング部材４０に、その表面を覆う金属調塗膜４４を設け、さらに、リング部材４０の内周壁に、金属調塗膜４４を覆うとともに、発光ダイオード１２ａの発光色と異なる色の有色半透明塗膜４５を設けた。  したがって、発光ダイオード１２ａを点灯させたときに、リング部材４０の内周壁４１が、表示部３１ａ，３１ｂと異なる色の有色半透明塗膜４５の色で環状に照明される。【選択図】図１
2008191121.tif 000002
【特許請求の範囲】
【請求項１】
板状に形成され、指針の指標となる透光可能な表示部が設けられた文字板と、
前記表示部の外側を囲んで設置され、文字板表面から立ち上がる周壁を備え、その周壁に金属調塗膜が設けられた環状部材と、
前記文字板の裏面側に設けられ、前記表示部ならびに前記環状部材の周壁を照明する光源と、
を備えたメータ装置であって、
前記周壁の金属調塗膜を覆って、前記光源からの照明光を受けて、その発光色と異なる色の光を反射する有色半透明塗膜が設けられていることを特徴とするメータ装置。
【請求項２】
前記環状部材が、前記表示部を囲む内周壁と、この内周壁のメータ正面方向先端に連続して形成された正面端面と、この正面端面の外形方向の端縁に連続し、環状部材の外周を形成する外周面と、を有し、
前記内周壁に前記有色半透明塗膜が設けられていることを特徴とする請求項１に記載のメータ装置。
【請求項３】
透光性を有した板状導光板が、前記光源からの照明光を、前記表示部および前記環状部材の内周壁に導光可能に、その外周端面を前記内周壁に対向させて前記文字板の裏側に設けられていることを特徴とする請求項２に記載のメータ装置。
【請求項４】
前記板状導光板の前記環状部材の内周壁に対向する端面からは、拡散光が前記環状部材の内周壁に向けて出射されることを特徴とする請求項３に記載のメータ装置。
【請求項５】
前記光源が白色であることを特徴とする請求項１〜請求項４のいずれか１項に記載のメータ装置。
【請求項６】
前記有色半透明塗膜が、青色であることを特徴とする請求項５に記載のメータ装置。
【発明の詳細な説明】
【技術分野】
【０００１】
本発明は、自動車などに用いられるメータ装置に関し、特に、文字板の目盛や文字などの表示部の外側を囲んで配置された環状部材を照明する技術に関する。
【背景技術】
【０００２】
近年、車両用などのメータ装置において、指針および文字板に設けられた文字や目盛などを文字板の背面側から照明するのに加え、文字板の表示部の外側を囲む環状部材を照明して、高級感、高品質感を演出することが行われている。
【０００３】
このような環状の照明が可能なメータ装置として、文字板と、文字板の裏面に重ねられた導光板と、文字板の表示部を周回するように設置された環状部材と、を備え、導光板の周縁端面から外側に向かう光を環状部材の内周壁で反射させて環状に照明し、環状部材の照明専用の光源を削減できるようにしたものが知られている（例えば、特許文献１参照）。
【特許文献１】特開２００３−３１４１１１号公報
【発明の開示】
【発明が解決しようとする課題】
【０００４】
しかしながら、上述の従来技術では、単一色の光源で照明するため、照明時の意匠バリエーションが乏しく、高級感や高品質感の演出性能が十分に得られなかった。
また、光源の色を増やすと、必要な光源の数が増加し、コストアップを招く。
【０００５】
本発明は、上述のような従来の問題に着目して成されたもので、複数の色で照明して高級感、高品質感の演出効果を高めることを安価に達成可能なメータ装置を提供することを目的とする。
【課題を解決するための手段】
【０００６】
上述の目的を達成するために本発明は、板状に形成され、指針の指標となる透光可能な表示部が設けられた文字板と、前記表示部の外側を囲んで設置され、文字板表面から立ち上がる周壁を備え、その周壁に金属調塗膜が設けられた環状部材と、前記文字板の裏面側に設けられ、前記表示部ならびに前記環状部材の周壁を照明する光源と、を備えたメータ装置であって、前記周壁の金属調塗膜を覆って、前記光源からの照明光を受けて、その発光色と異なる色の光を反射する有色半透明塗膜が設けられていることを特徴とするメータ装置とした。
また、請求項２に記載の発明は、請求項１に記載のメータ装置において、前記環状部材が、前記表示部を囲む内周壁と、この内周壁のメータ正面方向先端に連続して形成された正面端面と、この正面端面の外形方向の端縁に連続し、環状部材の外周を形成する外周面と、を有し、前記内周壁に前記有色半透明塗膜が設けられていることを特徴とするメータ装置とした。
また、請求項３に記載の発明は、請求項２に記載のメータ装置において、透光性を有した板状導光板が、前記光源からの照明光を、前記表示部および前記環状部材の内周壁に導光可能に、その外周端面を前記内周壁に対向させて前記文字板の裏側に設けられていることを特徴とするメータ装置とした。
また、請求項４に記載の発明は、請求項３に記載のメータ装置において前記板状導光板の前記環状部材の内周壁に対向する端面からは、拡散光が前記環状部材の内周壁に向けて出射されることを特徴とするメータ装置とした。
また、請求項５に記載の発明は、請求項１〜請求項４のいずれか１項に記載のメータ装置において、前記光源が白色であることを特徴とするメータ装置とした。
また、請求項６に記載の発明は、請求項５に記載のメータ装置において、前記有色半透明塗膜が、青色であることを特徴とするメータ装置とした。
【発明の効果】
【０００７】
本発明のメータ装置では、光源を点灯させた照明時には、光源の光で、文字板の表示部ならびに環状部材の周壁が照明される。このとき、環状部材の周壁では、光が有色半透明塗膜を通過し、その下の金属調塗膜で反射されることで、光源の色とは異なるこの有色半透明塗膜の色で照明される。
【０００８】
したがって、本発明では、文字板の表示部と、それを囲む環状部材の周壁と、が異なる色で照明され、しかも、環状部材の照明色は、非照明時の金属調とは異なる色で照明され、高級感、高品質感の演出効果を高めることができる。
加えて、本発明では、表示部と環状部材の周壁とで、異なる色に照明するのにあたって、環状部材を金属調塗膜で覆うとともに、周壁ではその上に有色半透明塗膜を設けた二層塗膜で覆うだけであるので、表示部用の照明と環状部材用の照明とに異なる色の光源を用いるのに比べて、安価である。
また、本発明では、環状部材の周壁において、有色半透明塗膜の下に金属調塗膜を設けているため、照明光の反射性が高く、単に、光源の色と異なる塗膜を設けただけのものと比べて、高い照明性能が得られる。
【０００９】
さらに、請求項２に記載の発明では、非照明時には、メータ正面方向から視たときに、環状部材は、金属調塗膜で覆われた外周壁ならびに正面端面により、表示部の外周が金属調の枠で囲まれたように見え、高級感、高品質感を演出することができる。一方、照明時には、上述のように、表示部と環状部材の内周壁が、異なる色で照明される。
【００１０】
このように、非照明時と、照明時とで、見え方が異なる新規な演出ができ、演出バリエーションが増えるとともに、より高く高級感、高品質感が得られる。
【００１１】
また、請求項３に記載の発明では、文字板の裏側に、光源の光を表示部と環状部材とに導く板状導光板を設けたため、少ない光源の光を効率的に表示部および環状部材に導くことができ、板状導光板を設けない構造に比べて、使用する光源の数を削減できるとともに、全体を均一に照明できる。
また、請求項４に記載の発明では、板状導光板の端面から出射される拡散光で、環状部材の内周壁が照明される。
したがって、内周壁が均一に照明され、高級感、高品質感がさらに高まる。
【００１２】
また、請求項５に記載の発明では、光源を白色としたため、有色半透明塗膜が何色であっても高級感や高品質感の演出性能を出せる。
さらに、請求項６に記載の発明では、表示部を白色照明し、環状部材の内周壁を青色照明でき、従来なかった新規な照明を達成できる。
【発明を実施するための最良の形態】
【００１３】
以下、本発明の実施の形態を図面に基づいて説明する。
この実施の形態のメータ装置は、板状に形成され、指針（１ａ）の指標となる透光可能な表示部（３１ａ，３１ｂ）が設けられた文字板(３１)と、前記表示部（３１ａ，３１ｂ）の外側を囲んで設置され、文字板表面（３０ａ）から立ち上がる周壁（４１）を備えた環状部材（４０）と、前記文字板（３１）の裏面側に設けられ、前記表示部（３１ａ，３１ｂ）ならびに前記環状部材（４０）の周壁（４１）を照明する光源（１２ａ）と、を備えたメータ装置であって、前記環状部材（４０）の表面を覆って金属調塗膜（４４）が設けられ、前記周壁（４１）に、前記金属調塗膜（４４）を覆って、前記光源（１２ａ）の発光色と異なる色の透光性を有した有色半透明塗膜（４５）が設けられていることを特徴とするメータ装置である。
【実施例１】
【００１４】
以下に、図１〜図２に基づいて、この発明の最良の実施の形態の実施例１のメータ装置について説明する。
【００１５】
この実施例１のメータ装置Ａは、図外の自動車のインストルメントパネルに設けられたメータクラスタ内に取り付けられており、図３に示すように、スピードメータ１、エンジン回転数メータ２、燃料メータ３、水温メータ４などを備えている。
【００１６】
両メータ１，２の構造は同様であるので、実施例１のメータ装置Ａの構造を説明するのにあたり、以下に、スピードメータ１の部分を例に挙げて説明する。
【００１７】
スピードメータ１は、図３のＳ１−Ｓ１線による断面である図１に示すように、基板１０、ロアケース２０、文字板３０、リング部材４０、ハウジング５０、導光板６０、アッパケース７０、バックカバー８０、透明カバー９０を備えている。
【００１８】
基板１０は、エポキシ樹脂などの硬質樹脂により板状に形成され、指針１ａを駆動するムーブメント１１や、照明用の光源としての発光ダイオード１２ａ，１２ｂや、これらを駆動させる回路などを備えている。
なお、発光ダイオード１２ａ，１２ｂは、本実施例１では、白色に発光するものが用いられている。
【００１９】
基板１０は、ロアケース２０とバックカバー８０との間に挟まれた状態で固定されている。
すなわち、基板１０を、ロアケース２０の背面側に当接させた状態で、基板１０の背面にバックカバー８０を被せ、このバックカバー８０に一体に形成された図示を省略した係合爪をロアケース２０に係合させて結合させることで、基板１０が、ロアケース２０とバックカバー８０との間に挟まれた状態で固定されている。
【００２０】
ロアケース２０のメータ正面方向（メータ装置Ａが正対する方向であって図において矢印Ｆ方向）側は、文字板３０に覆われている。
【００２１】
文字板３０は、ポリカーボネート樹脂などの透明樹脂材料で薄板状に形成されており、各メータ１，２の部分に配置された円盤状の文字板メータ部３１と、この文字板メータ部３１の外周方向に間隔を空けて配置された文字板外側部３２と、を備えている。
文字板メータ部３１は、その表面である文字板表面３０ａに、指針１ａの先端の回動軌跡に沿って一定間隔で指針の指標となる表示部として、図３に示すように、目盛が設けられた目盛表示部３１ａと、この目盛表示部３１ａの内径側で２０ｋｍ／ｈ刻みの速度が表示された文字表示部３１ｂとを備えている。なお、表示部として、絵文字などの表示部も設けられているが、ここでは図示を省略している。
【００２２】
さらに、文字板メータ部３１において、目盛表示部３１ａと文字表示部３１ｂとの間に折曲部３１ｃが設けられ、目盛表示部３１ａは、メータ中央方向を向くように傾斜されている。
また、両表示部３１ａ，３１ｂは、その意匠的な表示が、白色の透光性を有した塗料を印刷して形成されて、発光ダイオード１２ａの白色光を文字板３０の裏面から表面へ透光可能に形成されている。一方、これら表示部３１ａ，３１ｂ以外では、黒色の遮光性を有した塗料が印刷されている。
【００２３】
文字板メータ部３１は、その外周をリング部材（環状部材）４０で囲まれている。
リング部材４０は、各メータ１，２の外周を装飾するもので、硬質の樹脂により円環状に形成されており、内周壁（周壁）４１と外周壁（周壁）４２と正面端面（周壁）４３とを備えている。
【００２４】
内周壁４１は、文字板メータ部３１と文字板外側部３２との間で、文字板３０の裏面側位置からメータ正面方向（矢印Ｆ方向）に立ち上げられており、メータ正面方向側ほど拡径された湾曲面状の壁により環状に形成されている。
【００２５】
外周壁４２は、文字板外側部３２の表面からメータ正面方向に略直交方向に立ち上げられた壁により環状に形成されている。
【００２６】
正面端面４３は、内周壁４１と外周壁４２とを連結する部分に形成され、メータ正面方向を向いて環状に形成されている。
【００２７】
なお、リング部材４０は、内周壁４１に、係合爪４６が形成されており、このリング部材４０は、係合爪４６をハウジング５０に係合させるとともに、外周壁４２の先端面を、文字板外側部３２の表面に係合させて固定されている。
【００２８】
ハウジング５０は、導光板６０とともに文字板メータ部３１の背面側に配置されて、発光ダイオード１２ａ，１２ｂの光を文字板メータ部３１およびリング部材４０に導く。
導光板６０は、ポリカーボネート樹脂などの透明樹脂材料で略ドーナツ板状に形成されており、文字板メータ部３１の裏面である文字板裏面３０ｂに重ねて設けられ、目盛表示部３１ａおよび文字表示部３１ｂにメータ背面方向（メータ正面方向の反対方向で図１の矢印ＢＫ方向）に重なる外周部は、外径方向側ほど厚みが増すよう形成されている。
そして、導光板６０の外周端面６１が、リング部材４０の内周壁４１に対して、メータ幅方向（メータ装置Ａの横幅方向であって、図１の矢印Ｗ方向）に対向されている。
【００２９】
なお、前記導光板６０の外周面は、出射する照明光が矢印Ｆ方向に拡散するように文字板メータ部３１の面に対して鋭角になって、前記リング部材４０の内周壁４５の全体の均一照明を可能にしている。
【００３０】
ハウジング５０は、基板１０と導光板６０との間に介在されており、基板１０に係合爪５１を係合させて固定されている。
また、ハウジング５０には、発光ダイオード１２ａの光をメータ正面方向に反射させる第１のハウジング反射面５２、および発光ダイオード１２ｂの光をメータ正面方向に反射させる第２のハウジング反射面５３が形成されている。
【００３１】
第１のハウジング反射面５２は、文字板メータ部３１の両表示部３１ａ，３１ｂとメータ背面方向に重なる位置に形成さ、発光ダイオード１２ａの光を、両表示部３１ａ，３１ｂに向けて拡散すべく、メータ正面方向に幅を拡げるよう傾斜された一対の傾斜面を両表示部３１ａ，３１ｂに沿って円弧状に延在させて形成されている。
第２のハウジング反射面５３は、指針１ａの回動中心軸１１ｂの周囲を囲んで形成されており、発光ダイオード１２ｂの光を、回動中心軸１１ｂに結合された導光部材１１ｃに集光すべく、メータ正面方向に窄まる円錐形状に形成されている。
【００３２】
アッパケース７０および透明カバー９０は、両メータ１，２を覆うもので、アッパケース７０は、光を反射させにくい黒色の硬質の樹脂により筒状に形成されており、基端をロアケース２０の外周縁の内側に当接させた状態で、図示を省略した係合爪をロアケース２０に係合させて、固定されている。
透明カバー９０は、透明な樹脂により薄板状に形成され、アッパケース７０の先端内周に固定されている。
【００３３】
次に、本実施例１の特徴的な構成について説明する。
リング部材４０は、図２に拡大して示すように、各メータ１，２の外周を装飾するために、全体が、銀色のメッキ層で形成された金属調塗膜４４で覆われている。
また、リング部材４０の内周壁４１において正面端面４３に近い先端部には、僅かに内側に凹まされた段部４７が形成されており、内周壁４１の内周面において、導光板６０の外周端面６１に対向する基端部から、先端側の段部４７までの範囲では、金属調塗膜４４が有色半透明塗膜４５で覆われている。
【００３４】
この有色半透明塗膜４５は、発光ダイオード１２ａ，１２ｂおよび両表示部３１ａ，３１ｂの白色とは異なる青色の半透明着色塗料（例えば、アクリル樹脂系塗料やポリウレタン樹脂系塗料など）を塗布して形成されている。
【００３５】
すなわち、リング部材４０は、外周全体をメッキ仕上した後、図２（ｂ）に示すように、内周壁４１の段部４７よりも正面端面４３側をマスキング材１００によりマスキングし、内周壁４１に、塗料の吹き付けや塗布を行って、有色半透明塗膜４５を形成したものである。
【００３６】
次に、実施例１の作用について説明する。
昼間などの発光ダイオード１２ａ，１２ｂの非点灯時には、各メータ１，２の外周を囲むリング部材４０は、正面端面４３および外周壁４２などの有色半透明塗膜４５で覆われている部分以外で、銀色の金属調塗膜４４が露出しており、これにより、各メータ１，２の両表示部３１ａ，３１ｂの白色の表示の外周部分が、銀色のリング状に装飾され、高級感および高品質感が得られる。
【００３７】
一方、夜間などの発光ダイオード１２ａ，１２ｂの点灯時には、メータ中央部の発光ダイオード１２ｂの光は、回動中心軸１１ｂに結合された導光部材１１ｃを介して、指針１ａに導かれ、指針１ａが照明される。
【００３８】
また、メータ外周部の発光ダイオード１２ａの光は、導光板６０に入射され、この導光板６０から文字板メータ部３１の両表示部３１ａ，３１ｂに拡散されながら出射され、両表示部３１ａ，３１ｂが白色に照明される。さらに、導光板６０の外周端面６１から、リング部材４０の内周壁４１に向けて拡散されながら出射され、有色半透明塗膜４５を通過して、金属調塗膜４４で反射され、再び有色半透明塗膜４５を通過した後、メータ正面方向に向かう。
【００３９】
この反射光により、リング部材４０の内周壁４１が、文字板メータ部３１よりも背面方向からメータ正面方向にかけて照明され、この奥行き感を有した環状の照明により高品質感および高級感を演出することができる。
しかも、この環状の照明は、有色半透明塗膜４５により青色に着色され、両表示部３１ａ，３１ｂが白色に照明されるのに対し，環状のリング部材４０では、青色に照明され、二色の異なる色の照明により、さらに高い高級感および高品質感が得られる。
【００４０】
以上のように、実施例１のメータ装置Ａは、昼間は、白色の両表示部３１ａ，３１ｂを銀色のリング部材４０で囲んで見え、夜間は、上述のように白色照明の両表示部３１ａ，３１ｂを青色のリング状照明で囲むというように、昼間と夜間とで見え方が異なる新規な高級感および高品質感を演出できるメータ装置を提供することができる。
しかも、両表示部３１ａ，３１ｂとリング部材４０とで異なる色で照明することを、一色の発光ダイオード１２ａで行うことができるため、環状の照明を両表示部３１ａ，３１ｂの照明色と異なる色の発光ダイオードを用いて行うのと比較して、安価に構成することができる。
【００４１】
加えて、本実施例１では、リング部材４０に青色の着色を行うのにあたり、金属調塗膜４４の上に半透明の有色半透明塗膜４５を重ねて行うようにしているため、単に、内周壁４１を有色の塗膜を設けたものと比べ、照明光の反射性が高く、優れた照明性能が得られる。
【００４２】
さらに、実施例１では、文字板メータ部３１の裏面に、発光ダイオード１２ａの光を両表示部３１ａ，３１ｂとリング部材４０の内周壁４１とに拡散しながら導く導光板６０を設けたため、発光ダイオード１２ａの光を効率的に両表示部３１ａ，３１ｂと内周壁４１とに導くことができ、導光板６０を設けない構造に比べて、使用する発光ダイオード１２ａの数を削減できるとともに、全体を均一に照明できる。
【００４３】
また、実施例１では、金属調塗膜４４を金属メッキにより形成するため、リング部材４０をメッキ槽に浸けるだけで、全体に金属調塗膜４４を形成でき、製造が容易である。
加えて、内周壁４１に段部４７を形成し、この段部４７を塗装時のマスキングに利用するようにしたため、マスキング作業ならびに塗装作業が容易になる。
【００４４】
以上、図面を参照して、本発明の実施の形態および実施例１を詳述してきたが、具体的な構成は、この実施の形態および実施例１に限らず、本発明の要旨を逸脱しない程度の設計的変更は、本発明に含まれる。
【００４５】
例えば、実施例１では、車両用のメータ装置Ａを示したが、船舶など車両以外のものにも適用することができる。
【００４６】
また、実施例１では、環状部材として、スピードメータ１の全周を囲む円環状のリング部材４０を示したが、この環状部材は、表示部を囲で設けられたものであれば、メータの全周を囲むものでなくてもよい。例えば、実施例１で示した図３の燃料メータ３に適用する場合、スピードメータ１を囲むリング部材４０に接する部分以外の全周の２／３ほどの円弧状のリング部材を用いるようにしてもよい。あるいは、その形状は、多角環状のような円環状以外の形状としてもよい。
【００４７】
また、実施例１では、文字板メータ部３１の裏面に導光板６０を重ねて設けた例を示したが、要は、光源が、表示部の照明と環状部材の周壁の照明とを兼ねるものであれば、導光板６０を用いない構造としてもよい。
【００４８】
さらに、光源により環状部材の周壁を照明する例として、実施例１では、リング部材４０の内周壁４１を照明する例を示したが、外周壁により環状に照明するものに適用することもできる。この場合、有色半透明塗膜は、外周壁に設ける。
【００４９】
また、実施例１では、金属調塗膜として、銀色のメッキ層で形成された金属調塗膜４４を示したが、これに限定されず、鏡面蒸着仕上や金属調の光を反射可能な塗料により形成してもよい。
【００５０】
また、実施例１では、光源として、発光ダイオード１２ａ，１２ｂを示したが、例えば電球などの他の光源を用いてもよい。
【図面の簡単な説明】
【００５１】
【図１】本発明の最良の実施の形態の実施例１のメータ装置Ａの主要部を示す断面図であって、図３のＳ１−Ｓ１線に示すメータ装置Ａの右半分における切断面を示している。
【図２】図１の主要部の拡大図であって、（ａ）はリング部材の拡大断面図、（ｂ）はその先端部の拡大断面図である。
【図３】実施例１のメータ装置Ａの正面図である。
【符号の説明】
【００５２】
１ａ   指針
１２ａ 発光ダイオード（光源）
３０   文字板
３０ａ  文字板表面
３０ｂ  文字板裏面
３１   文字板メータ部
３１ａ 目盛表示部
３１ｂ 文字表示部
４０   リング部材（環状部材）
４１   内周壁
４２   外周壁
４３   正面端面
４４   金属調塗膜
４５   有色半透明塗膜
６０   導光板
６１   外周端面
Ａ     メータ装置
【図１】
2008191121.tif 000003
【図２】
2008191121.tif 000004
【図３】
2008191121.tif 000005